(57)【要約】【課題】空気調和機の排水ポンプを簡単構造でユニット天板に取り付ける。【解決手段】ポンプ部本体１Ａとポンプ部蓋１Ｂを嵌合部１３のスナップフィットにより固定する。ポンプ部ケース１とモータ部ケース２を取付部１４，２１で固定する。モータ部ケース２内のモータをＤＣブラシレスモータで構成する。モータ部ケース２の上端にユニット取付部２３，２３，２３をモータ部ケース２と一体に形成する。モータ部ケース２及びユニット取付部２３を樹脂で成形する。ユニット天板１０に対しユニット取付部２３で固定し、金属製のブラケット等を無くした構造とする。【選択図】図２
2008116166.tif 000002
【特許請求の範囲】
【請求項１】
吸込み口と吐出し口とを有するポンプ部本体と、前記ポンプ部本体を駆動するモータ部とをユニット天板に取り付ける空気調和機の排水ポンプの取り付け構造であって、
前記ポンプ部本体の外装をなすポンプ部ケースと、前記モータ部の外装をなすモータ部ケースとを一体的に固定するポンプ・モータ取付部を形成するとともに、該モータ部ケースの前記ポンプ・モータ取付部と反対側に前記ユニット天板に対するユニット取付部を該モータ部ケースと一体に形成し、
前記ポンプ・モータ取付部と前記ユニット取付部とにより、前記ポンプ部とモータ部とを一体的にユニット天板に取り付けるようにしたことを特徴とする空気調和機の排水ポンプの取り付け構造。
【請求項２】
前記モータ部が永久磁石を使用したＤＣモータであるとともに、前記ポンプ部ケースと前記モータ部ケースとが  難燃性樹脂で形成されていることを特徴とする請求項１に記載の空気調和機の排水ポンプの取り付け構造。
【請求項３】
請求項１または２に記載の排水ポンプの取り付け構造により排水ポンプが取り付けられていることを特徴とする空気調和機。
【発明の詳細な説明】
【技術分野】
【０００１】
この発明は、ユニット天板に取り付けられる空気調和機の排水ポンプの取り付け構造及び空気調和機に関する。
【背景技術】
【０００２】
従来の空気調和機における排水ポンプとして、例えば図１１の正面図及び図１２の底面図に示すものがある。この排水ポンプは、吸込み口１１０と吐出し口１２０を有するポンプ本体１００と、モータ部２００とを備えている。モータ部２００のボス２１０の下端にポンプ本体１００が取り付けられ、モータ部２００の駆動軸２００ａが水切り板２００ｂを介してポンプ本体１００に連結されている。モータ部２００はＡＣモータであり、このモータ部２００にはブラケット２２０が取り付けられている。そして、このモータ部２００は、ブラケット２２０を防振ゴム２３０を介してネジ２４０によりユニット天板１０に取り付ける構造となっている。
【０００３】
また、この種の排水ポンプとして、例えば特許第２５６８７３１号公報（特許文献１）に開示されたものがある。この特許文献１の排水ポンプ（ドレインポンプ）は、ブラケットを用いずに、合成樹脂の取付板(17)に対して防振ゴム(29)を介して取り付ける構成となっている。
【特許文献１】特許第２５６８７３１号公報
【発明の開示】
【発明が解決しようとする課題】
【０００４】
従来のＡＣモータは重くてユニット天板に取り付ける構造において、金属のブラケットを介して固定しなければならず、また、ブラケットには防振ゴムを取り付ける必要があった。また、このようなブラケットは、モータのトルクダウンの要因となる磁束漏れを防止するために、非磁性体でなければならず、さらに、ＡＣモータの温度上昇も高いことから、ＳＵＳ３０４等を使用する必要があった。
【０００５】
本発明は、空気調和機の排水ポンプを簡単な構造でユニット天板に取付可能にすることを課題とする。
【課題を解決するための手段】
【０００６】
請求項１の空気調和機の排水ポンプの取り付け構造は、吸込み口と吐出し口とを有するポンプ部本体と、前記ポンプ部本体を駆動するモータ部とをユニット天板に取り付ける空気調和機の排水ポンプの取り付け構造であって、前記ポンプ部本体の外装をなすポンプ部ケースと、前記モータ部の外装をなすモータ部ケースとを一体的に固定するポンプ・モータ取付部を形成するとともに、該モータ部ケースの前記ポンプ・モータ取付部と反対側に前記ユニット天板に対するユニット取付部を該モータ部ケースと一体に形成し、前記ポンプ・モータ取付部と前記ユニット取付部とにより、前記ポンプ部とモータ部とを一体的にユニット天板に取り付けるようにしたことを特徴とする。
【０００７】
請求項２の空気調和機の排水ポンプの取り付け構造は、請求項１に記載の空気調和機の排水ポンプの取り付け構造であって、前記モータ部が永久磁石を使用したＤＣモータであるとともに、前記ポンプ部ケースと前記モータ部ケースとが  難燃性樹脂で形成されていることを特徴とする。
【０００８】
請求項３の空気調和機は、請求項１または２に記載の排水ポンプの取り付け構造により排水ポンプが取り付けられていることを特徴とする。
【発明の効果】
【０００９】
請求項１の空気調和機の排水ポンプの取り付け構造によれば、ブラケットを無くしたことにより、ブラケットを付けた時に発生していた振動及び騒音の発生を抑えることができる。部品点数を低減することによって嵌合に伴うクリアランスを最小限にすることができ、組み付け精度がよくなる。さらに、低振動から得られる低騒音化、ユニット天板に取付時に振動することにより発生する騒音（２ｆ騒音）を除去することができる。
【００１０】
請求項２の空気調和機の排水ポンプの取り付け構造によれば、請求項１の効果に加えて、ＤＣブラシレスモータを採用することにより、次のような効果がある。例えば、従来１２Ｗであったものが４Ｗくらいに低減できるなど、ポンプの低消費電力化を図れる。低揚程では回転数を下げ、高揚程度では回転数を上げるなどの回転数制御が可能になる。ロータマグネットの回転位置をホールＩＣの出力で検出して回転数検知も可能となる。ポンプのゴミ噛み等による停止（ロック）を検知し、非常停止やメンテナンスの情報を提供することが容易になる。
【００１１】
温度上昇の低減に伴い、メタル軸受の潤滑油の粘性の低下による流出や蒸発を最小限に抑えることができるので、長寿命化が図れる。また、エアコン内の温度上昇を抑えることが可能であり、冷房能力を上げることができる。
【００１２】
なお、空気調和機を使用する場合、国によって電源電圧が異なり、温度上昇や発煙発火の安全性を考え、コイルの巻数やステータの積層数を変えてモータの性能を維持していたが、ＤＣブラシレスモータを用いているので、他の電気機器（電動弁や電磁弁等）と同様にＤＣ１２Ｖ等で動作が可能で、国毎にモータ部品を分けないで共通化が図れる。
【００１３】
また、従来は電源電圧が２００Ｖであり、故障するとレアショート等がおきる可能性があり、温度ヒューズを内蔵する場合がほとんどであった。しかしながら、ＤＣモータでは過電流保護等の機能により発煙・発火がおき難くなり、万が一おきても難燃性の樹脂で覆われているので延焼は拡がらない。
【００１４】
さらに、温度上昇低減に伴い、ポンプ及びモータのケースを全て樹脂化することが可能となり、さらなる軽量化が可能であり、分解も容易にしてリサイクル性も向上する。
【００１５】
請求項３の空気調和機によれば、請求項１または２と同様な効果が得られる。
【発明を実施するための最良の形態】
【００１６】
次に、本発明の空気調和機の排水ポンプの取付構造の実施形態を図面を参照して説明する。図１は第１実施形態の排水ポンプの上面図、図２は同排水ポンプの底面図、図３は同排水ポンプの正面図である。この排水ポンプはポンプ部ケース１とモータ部ケース２を備えており、ポンプ部ケース１内には排水ポンプ機構が構成され、モータ部ケース２内にはＤＣブラシレスモータが構成されている。ポンプ部ケース１はポンプ部本体１Ａとポンプ部蓋１Ｂとで構成され、ポンプ部本体１Ａには吸込み口１１と吐出し口１２が形成されている。また、ポンプ部本体１Ａには１８０°離間した２箇所の位置に嵌合部１３を有し、この嵌合部１３をポンプ部蓋１Ｂの下端部にスナップフィットすることによりポンプ部本体１Ａとポンプ部蓋１Ｂが取付固定されている。また、ポンプ部蓋１Ｂの上端には１８０°離間した位置に取付部１４が形成されている。
【００１７】
モータ部ケース２の下端には１８０°離間した位置に取付部２１が形成され、ポンプ部蓋１Ｂの取付部１４と該モータ部ケース２の取付部２１をネジＮ１でネジ止めしてモータ部ケース２とポンプ部ケース１とが固定されている。すなわち取付部１４，２１が「ポンプ・モータ取付部」を構成している。また、モータ部ケース２の外周には電線引出部２２が形成され、この電線引出部２２から電線２２ａが引き出されている。そして、モータ部ケース２の上端には、周囲３箇所にユニット取付部２３が一体に形成されている。ユニット取付部２３にはそれぞれ取付穴２３ａが形成されており、この取付穴２３ａにおいてネジＮ２により、本排水ポンプはユニット天板１０に取り付けられている。
【００１８】
図４はユニット取付部２３の第１実施例を示す図であり、図４(B) は図４(A) のＡ−Ａ断面を示す。このユニット取付部２３は取付穴２３ａの一箇所にケース本体の樹脂の弾性を利用した弾性爪２３１が形成され、この弾性爪２３１のフック部２３１ａと対向する位置にフック部２３２を有する。そして、図４(B) に示すように、ネジＮ２のネジ山がフック部２３１ａ，２３２に係合することにより、ネジＮ２がユニット天板１０のネジから外れても、このネジＮ２がユニット取付部２３自体から落下することがない。
【００１９】
図５はユニット取付部２３の第２実施例を示す図であり、図５(B) は図５(A) のＡ−Ａ断面を示す。このユニット取付部２３は取付穴２３ａの二箇所にフック部２３３，２３４を形成したものであり、ネジＮ２のネジ山がフック部２３３，２３４に係合することにより、ネジＮ２がユニット天板１０のネジから外れても、このネジＮ２がユニット取付部２３自体から落下することがない。なお、この第２実施例では取付穴２３ａのユニット天板１０側が僅かに突出している。
【００２０】
図６は第２実施形態の排水ポンプの上面図である。なお、以下の各実施形態において、ポンプ部ケース１とモータ部ケース２が取付部１４，２１においてネジＮ１により固定されていることは、第１実施形態と同様である。この第２実施形態では、モータ部ケース２の上端の周囲３箇所にユニット取付部２４が一体に形成されている。ユニット取付部２４は、モータ部ケース２から外部に突出して曲線状に１８０°曲げた形状とされその端部に取付穴２４ａが形成されている。また、この取付穴２４ａの部分は同図にＡ−Ａ断面を示すように周囲よりも突出したボス状の形状となっている。そして、この取付穴２４ａにおいて図示しないネジによりユニット天板に固定される。
【００２１】
図７は第３実施形態の排水ポンプの上面図である。この第３実施形態では、モータ部ケース２の上端の周囲３箇所にユニット取付部２５が一体に形成されている。ユニット取付部２５は、モータ部ケース２から外部に突出してモータ部ケース２の外周の接線方向に直角に曲げた形状とされその端部に取付穴２５ａが形成されている。また、この取付穴２５ａの部分は同図にＡ−Ａ断面を示すように周囲よりも突出したボス状の形状となっている。そして、この取付穴２５ａにおいて図示しないネジでユニット天板に固定される。
【００２２】
図８は第４実施形態の排水ポンプの上面図である。この第４実施形態では、モータ部ケース２の上端の周囲２箇所にユニット取付部２６が一体に形成されている。ユニット取付部２６の先端には取付穴２６ａが形成されているが、この取付穴２６ａの外周の部分は、モータ部ケース２側の付け根部分よりも大きくなっている。そして、この取付穴２５ａにおいて図示しないネジでユニット天板に固定される。
【００２３】
図９は第５〜第７実施形態の排水ポンプの上面図である。この図９のユニット取付部３１，３２，３３はそれぞれが第５〜第７実施形態を示すものであり、各ユニット取付部３１，３２，３３はモータ部ケース２の上端の周囲３箇所にそれぞれ一体に形成されている。ユニット取付部３１はモータ部ケース２から外部に突出してモータ部ケース２の外周に沿って曲げた形状とされその端部に取付穴３１ａが形成されている。ユニット取付部３２，３３はモータ部ケース２から外部の突出してその端部に取付穴３２ａ，３３ａが形成されている。
【００２４】
ユニット取付部３１の取付穴３１ａの周囲は、Ａ−Ａ断面に示すように、付け根部よりも高くなっている。また、ユニット取付部３２の取付穴３２ａの周囲は、Ｂ−Ｂ断面に示すように、径方向外側に行くにしたがって開度１７０°となるテーパ面により高くなっている。ユニット取付部３３の取付穴３３ａの周囲には、Ｃ−Ｃ断面に示すように、取付穴３３ａの両側に一部高くなった凸条３３ｂが形成されている。
【００２５】
図１０は第８〜第１０実施形態の排水ポンプの上面図である。この図１０のユニット取付部４１，４２，４３はそれぞれが第８〜第１０実施形態を示すものであり、各ユニット取付部４１，４２，４３はモータ部ケース２の上端の周囲３箇所にそれぞれ一体に形成されている。ユニット取付部４１，４２，４３は、モータ部ケース２から外部に突出してその端部に取付穴４１ａ，４２ａ，４３ａがそれぞれ形成されている。
【００２６】
ユニット取付部４１の取付穴４１ａの周囲は、Ａ−Ａ断面に示すように、外周部よりも小さな部分が高くなっている。また、ユニット取付部４２の取付穴４２ａの周囲は、Ｂ−Ｂ断面に示すように、両側接線方向に一部高くなった凸条４２ｂが形成されている。ユニット取付部４３の取付穴４３ａの周囲には、Ｃ−Ｃ断面に示すように、その取付穴４３ａの外側一部が段状に一部高くなっている。
【実施例】
【００２７】
次に更に詳細な実施例について説明する。永久磁石を使用したＤＣモータを使用することによって従来のように同じ能力を確保するのに何枚ものステータを積層しなくてもよく、軽量化をすることが可能となり、ユニット天板１０へ取り付けるためのユニット取付部を、強度の必要な板金ではなくモータ部ケース２と一体で形成して実施してる。
【００２８】
また、ステータの厚さも減り、効率も上がって、温度上昇も減り、モータ部ケース２と一体のユニット取付部はモータケースと共々、合成樹脂にて一体的に構成している。この合成樹脂は温度上昇も少ないことから、熱可塑性樹脂を使用している。
【００２９】
ユニット取付部等はモータ部ケース２の上面端部の場合は、端部の中でも円周側に近い方であり、または側面の端部というのも、できるだけ上部が望ましい。さらに、ユニット取付部２５，３１〜３３のように、径方向に伸びてから円周方向や接線方向に曲がって取付穴２５ａ，３１ａ〜３３ａを有すると、振動を吸収する効果がある。
【００３０】
上記実施形態のように、ユニット取付部の取付穴の周辺を少し高くすることによって、ネジにて固定する際の密着性、並びにネジの緩み止めの効果を有している。
【００３１】
上記取付穴の周囲はユニット天板１０に接触する部分が、ユニット取付部の根元寄りと同じ大きさかそれよりも小さくなっていると、振動吸収性が向上する。例えば２箇所（２つのユニット取付部）で固定し、もう一箇所（１つのユニット取付部）はガイドというような場合、接触する部分を大きく取っても他の方向の振動吸収や強度アップにつながる。接する部分の径を小さくしたり、径方向や、接線方向やに凸条によって延ばしたりすることによって効果が得られる。
【００３２】
メンテナンス作業において、下からドライバーを入れ、排水ポンプを取り外す作業があるが、どうしてもネジを外すときにネジが落ちやすいそこでユニット取付部のネジ穴にはネジの落下防止のフック部を設けているので、ネジが雌ネジ部から確実に外れて落ちないようになる。
【００３３】
上記実施形態におっけるモータはＤＣブラシレスモータである。さらには、三相が良く、ロータが６極でステータは９スロットとするのがよく、これにより低振動に有効となる。
【００３４】
実施形態ではモータ部ケース２とポンプ部ケース１の固定にネジ止めを採用しているが、ポンプ部ケース１のポンプ部本体１Ａとポンプ部蓋１Ｂとを固定する嵌合部１３のように、スナップフィットで固定してもよい。
【００３５】
モータ部ケース１側面から出ているユニット取付部は２箇所以上となっている。さらに特に３箇所の場合であって、各実施形態では、各ユニット取付部の方向のピッチを不等ピッチとしている。これによりユニット取付時の方向性の位置決めを規制でき、間違いなく取り付けることができる。
【００３６】
ポンプ部ケース１の吐出し口１２は４方向９０°毎に取り付け可能としてもよい。ポンプ部ケース１の固定は前述のようにスナップフィットでの２箇所止めとする。
【００３７】
ユニット取付部はモータ部ケース１とポンプ部ケース２の固定ネジと逆方向のポンプ側から固定する。上記固定ネジがスナップフィットの場合、ポンプ部ケース固定のスナップフィット方向に備える。これはどちらも吸込み口側からの取り外し間違い防止のためである。
【００３８】
モータ部ケースとポンプ部ケースを２箇所で固定する場合はモータ部ケースとポンプ部ケースの取り付け箇所に隣接し、モータ軸に対して１８０°の位置に２箇所のネジ穴を設け、かつポンプ部ケースの吐出し口の４方向の位置が干渉しないように設置するとよい。
【００３９】
ユニット取付部は４方向の吐出し口に干渉しないように不等間隔に３箇所のネジで固定する。
【００４０】
４箇所で排出ポンプを固定する場合はモータ部ケースとポンプ部ケースの取り付け箇所の両側で、かつ、ポンプ部ケースの吐出し口の４方向の内の２方向の間にそれぞれ設ける。４箇所の内の１箇所は位置決め等の凹凸を設けて、残り３箇所の固定でも構わない。例えば、１箇所をモータ電線出し部の相対する側に決めたとき、そこから２箇所の角度は１０５°〜１１５°残りの１箇所は１３０°〜１５０°とする。
【００４１】
モータ電線出し部の相対する側に位置するユニット取付部の取付穴の位置は吐出し口対して範囲９０°にかからなければよい。例えば±２５°とする。
【００４２】
３箇所で最適な位置関係は基点となる固定場所がモータ固定部２箇所の中間で、なおかつ、モータ電線出し部の相対する側に位置していて、そこからの角度は２箇所が１１０°で残りが１４０°がさらによい。
【００４３】
ユニット取付部の径方向の位置は、ポンプ外径またはモータ外径のいずれが大きい方と吐出し口の外端部の間に位置する。なお、これ以上大きい場合は、どの位置でも取付可能となりコンパクト化けは望めない。
【図面の簡単な説明】
【００４４】
【図１】本発明の第１実施形態の排水ポンプの上面図である。
【図２】同排水ポンプの底面図である。
【図３】同排水ポンプの正面図である。
【図４】同排水ポンプにおけるユニット取付部の第１実施例を示す図である。
【図５】同排水ポンプにおけるユニット取付部の第２実施例を示す図である。
【図６】本発明の第２実施形態の排水ポンプの上面図である。
【図７】本発明の第３実施形態の排水ポンプの上面図である。
【図８】本発明の第４実施形態の排水ポンプの上面図である。
【図９】本発明の第５〜第７実施形態の排水ポンプの上面図である。
【図１０】本発明の第８〜第１０実施形態の排水ポンプの上面図である。
【図１１】従来の排水ポンプの正面図である。
【図１２】従来の排水ポンプの底面図である。
【符号の説明】
【００４５】
１      ポンプ部ケース
２      モータ部ケース
１１    吸込み口
１２    吐出し口
１３    嵌合部
１４    取付部
２１    取付部
Ｎ１    ネジ
２３〜２６，３１〜３３，４１〜４３    ユニット取付部
【図１】
2008116166.tif 000003
【図２】
2008116166.tif 000004
【図３】
2008116166.tif 000005
【図４】
2008116166.tif 000006
【図５】
2008116166.tif 000007
【図６】
2008116166.tif 000008
【図７】
2008116166.tif 000009
【図８】
2008116166.tif 000010
【図９】
2008116166.tif 000011
【図１０】
2008116166.tif 000012
【図１１】
2008116166.tif 000013
【図１２】
2008116166.tif 000014